(57)【要約】【課題】グラブバケットとの接触事故が起きにくいグラブ枠を提供する。【解決手段】グラブ枠１０の本枠１２とアンカーチェーン１２の間に中間枠１８を設ける。中間枠１８は本枠１２と相似形であり、本枠１２より枠内面積が大きい。中間枠１８の剛性によって汚濁防止カーテン１４の捲れや撓みなどが抑制され、グラブ枠１０は静穏な海中に自然に錘下させたときの原形に近い外形に維持されるようになる。その結果、グラブバケットと汚濁防止カーテン１４との接触事故の発生率が低下する。また中間枠１８より下方の作業面積が拡がるため、グラブバケットを汚濁防止カーテン１４と接触させないように操るオペレータの操作負担が軽減され、作業効率が向上する。【選択図】図１
2012107399.tif 000002
【特許請求の範囲】
【請求項１】
浮力発生機能を備えた本枠と、前記本枠から垂下し、グラブ浚渫区域を囲う汚濁防止カーテンと、前記汚濁防止カーテンの下端部に設けられたウェイトチェーンと、前記本枠と前記ウェイトチェーンの間において前記本枠と平行に前記汚濁防止カーテンに設けられた中間枠を備え、
前記本枠と前記中間枠は平面視して相似形であり、前記中間枠の枠内面積が前記本枠の枠内面積より大きい、グラブ枠。
【請求項２】
前記中間枠が、前記本枠と前記ウェイトチェーンの間に間隔をおいて複数設けられている、請求項１に記載のグラブ枠。
【請求項３】
前記中間枠が、前記本枠側から前記ウェイトチェーン側に向けて枠内面積が段階的に拡大している、請求項２に記載のグラブ枠。
【請求項４】
前記汚濁防止カーテンに、前記本枠と前記中間枠の間、および前記中間枠と前記ウェイトチェーンの間においてそれぞれたすき掛けされた補強ロープが張設されている、請求項１乃至３の何れかに記載のグラブ枠。
【発明の詳細な説明】
【技術分野】
【０００１】
本発明は、グラブ浚渫工における汚濁粒子の拡散を防止するグラブ枠に関する。
【背景技術】
【０００２】
海洋土木工事の分野においては、海底の土砂を浚う浚渫工と呼ばれる工種があり、その中でもグラブバケットを使用して海底の土砂を掘削するグラブ浚渫工が多用されている。グラブ浚渫工においては、掘削時に生じる海水の濁り（汚濁粒子）が周辺海域に拡散しないように、浚渫区域の周囲にグラブ枠を敷設し、枠内においてグラブバケットを使用するといった環境に配慮された工法が採用されている。一般的なグラブ枠は、海面に浮かぶフロート部と、海中に垂れ下がるカーテン部およびウェイトチェーンで構成されている。カーテン部は可撓性を有しており、取り扱いが容易であるが、その反面、潮流や航跡波、グラブバケットの操作によって生じる対流などの影響を受けて捲れや撓みなどが生じやすく、グラブバケットと接触して破損する事故が絶えない。このような事故を避けるためにグラブバケットの操作に細心の注意を払おうとすれば、操作に過大な熟練度が要求され、さらには作業効率が著しく低下するなどの別の問題が生じる。
【０００３】
このような問題を解決すべく、従来、カーテン部の捲くれや撓みを防止する技術が提案されている。例えば特許文献１には、斜めに張ったカーテン部に適宜の間隔でフロートを設け、フロートに作用する浮力がカーテン部を外側に展張させようとする現象を利用してカーテン部の特に枠内への撓みを防止する技術が開示されている。また特許文献２には、カーテン部の下端部に剛体の底枠を設け、カーテン部の上下端部をそれぞれ本枠と底枠によって固定することでカーテン部の外形を維持し、捲くれや撓みを防止する技術が開示されている。
【先行技術文献】
【特許文献】
【０００４】
【特許文献１】公開実用新案平３−６９０２８号公報
【特許文献２】実用新案登録第３１４５４７９号公報
【発明の概要】
【発明が解決しようとする課題】
【０００５】
ところで特許文献１に開示された技術においては、カーテン部に設けられたフロートによって生じる浮力がカーテン部を持ち上げてしまわないように適宜の間隔でバラストを設ける必要があるため、これがグラブ枠全体の重量を増大させ、グラブ枠の設置作業および撤去作業の負担増をもたらすことになる。一方、特許文献２に開示された技術においては、剛体であるがゆえに底枠が海底の凹凸になじまず、隙間が生じることがあるため、そこから汚濁粒子が拡散する可能性がある。
本発明は、これらの従来技術では解決できなかった課題を解決し得るグラブ枠を提供することを目的とする。
【課題を解決するための手段】
【０００６】
本発明は、浮力発生機能を備えた本枠と、前記本枠から垂下し、グラブ浚渫区域を囲う汚濁防止カーテンと、前記汚濁防止カーテンの下端部に設けられたウェイトチェーンと、前記本枠と前記ウェイトチェーンの間において前記本枠と平行に前記汚濁防止カーテンに設けられた中間枠を備え、前記本枠と前記中間枠は平面視して相似形であり、前記中間枠の枠内面積が前記本枠の枠内面積より大きい、グラブ枠を提供する。
【０００７】
中間枠には、汚濁防止カーテンに潮流等が作用したときにこれを受けて容易に変形しない程度の剛性が要求される。グラブ枠にこのような中間枠が設けられたことで、汚濁防止カーテンの捲れや撓みなどが抑制され、グラブ枠は静穏な海中に自然に錘下させたときの原形に近い外形に維持されるようになる。その結果、グラブバケットと汚濁防止カーテンとの接触事故の発生率が低下する。また本枠より枠内面積の大きな中間枠が設けられたことで、中間枠より下方の作業面積が拡がるため、汚濁防止カーテンと接触させないようにグラブバケットを操るオペレータの操作負担が軽減され、作業効率が向上する。
【０００８】
本枠とウェイトチェーンの間に中間枠が設けられたことで、汚濁防止カーテンの下端部に底枠を設けたときに起こりうる問題である、汚濁防止カーテンと海底面との間に隙間が生じるという問題を回避することができる
【０００９】
中間枠は単数もしくは複数の何れであってもよく、汚濁防止カーテンの全長に応じて選択的に設けることができる。特に水深が深いところでグラブ枠を使用するときなど、汚濁防止カーテンの全長が非常に長くなるような場合には、適宜の間隔をおいて複数の中間枠を設けることが有効である。中間枠を複数設けるときには、全てを同じ大きさにしてもよいが、本枠側からウェイトチェーン側に向けて枠内面積が段階的に拡大するようにすれば、グラブバケットと汚濁防止カーテンとの間に十分な余裕が生まれる。
【００１０】
さらにグラブ枠には、本枠と中間枠の間において汚濁防止カーテンにたすき掛けした補強ロープを張設し、中間枠とウェイトチェーンの間において汚濁防止カーテンにたすき掛けした補強ロープを張設してもよい。補強ロープを張設することで、汚濁防止カーテンの捲れや撓みをより強力に抑制することが可能になる。また汚濁防止カーテンの対衝撃強度が増し、万が一グラブバケットと接触した場合であっても破損しにくい。
【発明の効果】
【００１１】
本発明が提供するグラブ枠によれば、グラブバケットと汚濁防止カーテンとの接触事故を回避することができるため、補修に要する時間や費用のロスを削減することで、工期の短縮や工費の縮減が期待できる。また破損箇所からの汚濁粒子の拡散を防止することができる。さらにはグラブバケットと汚濁防止カーテンとの間に十分な余裕幅生まれるため、接触事故を心配することなく安心してグラブバケットの操作を行うことができるようになり、作業効率が向上する。
【図面の簡単な説明】
【００１２】
【図１】グラブ枠の（ａ）側面図および（ｂ）平面図
【図２】グラブ枠を使用したグラブ浚渫工の施工状況図
【図３】グラブ枠を使用したグラブ浚渫工の施工状況図
【図４】複数の中間枠を備えたグラブ枠の側面図
【発明を実施するための形態】
【００１３】
本発明の実施の形態について図面を参照して説明する。図１に示すグラブ枠１０は、本枠１２、汚濁防止カーテン１４、ウェイトチェーン１６、中間枠１８を主要な要素として構成されている。
【００１４】
本枠１２は中空の鋼管を平面視して略矩形となるように配してなる枠体であり、グラブ枠１０の原形を維持する機能と、グラブ枠１０を海面に浮揚させる浮力を発生する機能を備えている。なお本枠１２にフロート等を設置して浮力を発生させるようにしてもよい。
【００１５】
汚濁防止カーテン１４は下端部に周回させて設けられたウェイトチェーン１６の重さと自重によって本枠１２から鉛直下方に垂下し、グラブ浚渫区域を囲い、グラブ浚渫区域の内外を遮蔽する機能を備えた遮蔽体である。汚濁防止カーテン１４がグラブ浚渫区域を遮蔽しているため、海底から土砂を掘削する際に発生する汚濁粒子の浚渫区域外への拡散を防止することができ、また海面から揚土する際にグラブバケットから溢れ出した濁水の浚渫区域外への拡散を防止することができる。
【００１６】
汚濁防止カーテン１４の下端部には略等間隔で設けられた複数の吊りワイヤ２０が連結されている。吊りワイヤ２０は汚濁防止カーテン１４の下端部の高さ調整に使用されるだけでなく、グラブ枠１０を曳航する際に汚濁防止カーテン１４を本枠１２の高さまで引き上げるときにも使用される。吊りワイヤ２０は例えば本枠１２に設けたウィンチ等を用いて巻き上げおよび巻き下げを行うことができる。
【００１７】
中間枠１８は平面視して本枠１２と相似形をなす略矩形の枠体であり、汚濁防止カーテン１４の略中央を本枠１２と平行に周回するように設けられている。中間枠１８の枠内面積は本枠１２の枠内面積より大きくなるように形成されている。そのため汚濁防止カーテン１４は本枠１２のある上端から中間枠１８のある略中央までは徐々に外側に拡がり、略中央からウェイトチェーン１６のある下端までは鉛直下方に垂下する。
【００１８】
中間枠１８には潮流や浚渫時の対流の影響を受けて容易に変形しない程度の剛性が要求される。このような剛性を備えた中間枠１８は、浚渫時に汚濁防止カーテン１４の形状を原形に近い状態に維持することができ、潮流や浚渫時の対流の影響を受けて浚渫区域側に巻き込まれた汚濁防止カーテン１４とグラブバケットやワイヤが接触する事故の削減に大きく寄与する。そして中間枠１８を設けたグラブ枠１０を用いることで、接触事故の心配なく安心してグラブバケットの操作を行うことができるようになり、作業効率の向上が期待できる。
【００１９】
また汚濁防止カーテン１４の中間枠１８より下の部分はそれより上の部分に比べて外側に拡がっているため、グラブバケットと汚濁防止カーテン１４との間には十分な余裕幅が生まれる。これにより接触事故を心配することなく安心してグラブバケットの操作を行うことができるようになり、この点からも作業効率の向上が期待できる。
【００２０】
汚濁防止カーテン１４には補強ロープ２２が張られている。補強ロープ２２は本枠１２と中間枠１８の間および中間枠１８とウェイトチェーン１６の間において汚濁防止カーテン１４の外側面にたすき掛けされている。汚濁防止カーテン１４に補強ロープ２２を張設することで、中間枠１８のみを設けた場合に比べて汚濁防止カーテン１４の捲れや撓みをより強力に抑制することができる。また補強ロープ２２の張力によって汚濁防止カーテン１４の対衝撃強度が増し、万が一グラブバケットと接触した場合であっても破損しにくい。
【００２１】
流出防止シート２４はグラブ枠１０の内外を本枠１２の上方で遮断する機能を備えたシート状の遮蔽体であり、本枠１２の上部に枠に沿って環状に展張されている。流出防止シート２４はグラブ枠１０内の汚濁粒子が潮流や波の影響を受けて本枠１２を越えて枠外に流出するのを防止する。
【００２２】
グラブ枠１０は図２に示すようにグラブ浚渫船３０の船首に係留して使用する。グラブ浚渫船３０は船体後部に設けられた固定スパッド３２と船体中央部に設けられた移動スパッド３４を用いて移動し、船体前部に設けられたクレーン３６に装着されているグラブバケット３８が予定の浚渫区域の真上に位置したところで停船する。グラブ浚渫船３０の移動中、汚濁防止カーテン１４は海面に引き上げられた状態であり、停船したときに海底に向けて投下される。なお浚渫作業開始時には、前述したように水深に応じて吊りワイヤ２０の長さを調整し、汚濁防止カーテン１４の下端部と海底４０が接するようにして浚渫区域内外を遮蔽する。
【００２３】
図３は海底４０が平坦ではないときのグラブ枠１０の状態を示している。グラブ枠１０は汚濁防止カーテン１４の略中央に設けられた中間枠１８によって形状を安定させる構造であるため、従来のこの種のグラブ枠のように汚濁防止カーテン１４の下端部に剛体が存在しない。そのため海底４０の凹凸に沿って汚濁防止カーテン１４の下端部およびウェイトチェーン１６が容易に変形し、海底４０との間を概ね隙間なく遮蔽することが可能であり、汚濁防止効果の向上が期待できる。
【００２４】
水深が深いところでグラブ枠を使用するときなど、汚濁防止カーテンの全長が長くなるような場合、汚濁防止カーテンは水深が深くなるほど本枠から離れ、捲れたり撓んだりしやすくなる。このような場合には、図４に示すグラブ枠５０のように複数の中間枠４８を水深方向に適宜の間隔をおいて設けることが有効である。ここでの中間枠４８は全て同形状であり、枠内面積が一定であるが、水深が深くなるにつれて枠内面積が段階的に拡大するようにしてもよい。この場合も、本枠１２と中間枠４８の間および中間枠４８とウェイトチェーン１６の間に補強ロープ２２を張設してもよい。さらには中間枠４８同士の間にも補強ロープ４２を張設することもできる。
【００２５】
水深が深いところではグラブ枠５０は潮流の影響を大きく受けるが、複数設けられた中間枠４８とたすき掛けされた補強ロープ２２、４２がもたらす形状維持機能により、安全作業に悪影響を及ぼすほどの捲れや撓みは十分に抑えられる。
【符号の説明】
【００２６】
１０、５０  グラブ枠
１２        本枠
１４、４４  汚濁防止カーテン
１６        ウェイトチェーン
１８、４８  中間枠
２２、４２  補強ロープ
３０        グラブ浚渫船
３８        グラブバケット
【図１】
2012107399.tif 000003
【図２】
2012107399.tif 000004
【図３】
2012107399.tif 000005
【図４】
2012107399.tif 000006
【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
浮力発生機能を備えた本枠と、前記本枠から垂下し、グラブ浚渫区域を囲う汚濁防止カーテンと、前記汚濁防止カーテンの下端部に設けられたウェイトチェーンと、前記本枠と前記ウェイトチェーンの間において前記本枠と平行に前記汚濁防止カーテンに設けられた中間枠と、前記本枠と前記中間枠の間および前記中間枠と前記ウェイトチェーンの間に張設された補強ロープを備え、
前記本枠と前記中間枠は平面視して相似形であり、前記中間枠の枠内面積が前記本枠の枠内面積より大きい、グラブ枠。
【請求項２】
前記中間枠が、前記本枠と前記ウェイトチェーンの間に間隔をおいて複数設けられている、請求項１に記載のグラブ枠。
【請求項３】
前記中間枠が、前記本枠側から前記ウェイトチェーン側に向けて枠内面積が段階的に拡大している、請求項２に記載のグラブ枠。
【手続補正２】
【補正対象書類名】明細書
【補正対象項目名】０００６
【補正方法】変更
【補正の内容】
【０００６】
本発明は、浮力発生機能を備えた本枠と、前記本枠から垂下し、グラブ浚渫区域を囲う汚濁防止カーテンと、前記汚濁防止カーテンの下端部に設けられたウェイトチェーンと、前記本枠と前記ウェイトチェーンの間において前記本枠と平行に前記汚濁防止カーテンに設けられた中間枠と、前記本枠と前記中間枠の間および前記中間枠と前記ウェイトチェーンの間においてそれぞれたすき掛けされた補強ロープを備え、前記本枠と前記中間枠は平面視して相似形であり、前記中間枠の枠内面積が前記本枠の枠内面積より大きい、グラブ枠を提供する。
【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
浮力発生機能を備えた本枠と、前記本枠から垂下し、グラブ浚渫区域を囲う汚濁防止カーテンと、前記汚濁防止カーテンの下端部に設けられたウェイトチェーンと、前記本枠と前記ウェイトチェーンの間において前記本枠と平行に前記汚濁防止カーテンに設けられた中間枠と、前記本枠と前記中間枠の間および前記中間枠と前記ウェイトチェーンの間においてそれぞれたすき掛けされた補強ロープを備え、
前記本枠と前記中間枠は平面視して相似形であり、前記中間枠の枠内面積が前記本枠の枠内面積より大きい、グラブ枠。
【請求項２】
前記中間枠が、前記本枠と前記ウェイトチェーンの間に間隔をおいて複数設けられている、請求項１に記載のグラブ枠。
【請求項３】
前記中間枠が、前記本枠側から前記ウェイトチェーン側に向けて枠内面積が段階的に拡大している、請求項２に記載のグラブ枠。